(57)【要約】【課題】未使用の空間を収納スペースとして利用することによって空間の有効利用と収納性の向上とが図れる回動昇降式ラック装置を提供すること。【解決手段】回動昇降式ラック装置１は、壁面Ｈ等に固定される固定フレーム３と、固定フレーム３の前面側の収容スペースに位置し、固定フレーム３に対して平行リンク機構５を介して昇降自在に取り付けられる可動メインラック７と、可動メインラック７に対して取り付けられる操作バー９とを備え、更に固定フレーム３の背面側の収容スペースには、可動メインラック７の動きと連動して進退自在に移動する可動サブラック５９が設けられている。また可動メインラック７と可動サブラック５９は回動自在に連結される連結杆６５によって接続されており、可動サブラック５９と固定フレーム３との間にはスライドレール機構６７が設けられている。【選択図】        図１
2005296365.tif 000002
【特許請求の範囲】
【請求項１】
壁面等に固定される固定フレームと、固定フレームの前面側の収容スペースに位置し、固定フレームに対して平行リンク機構を介して昇降自在に取り付けられる可動メインラックと、可動メインラックに対して取り付けられる操作バーとを備える回動昇降式ラック装置において、固定フレームの背面側の収容スペースには、可動メインラックの動きと連動して進退自在に移動する可動サブラックが設けられていることを特徴とする回動昇降式ラック装置。
【請求項２】
請求項１に記載の回動昇降式ラック装置において、可動メインラックと可動サブラックは、回動自在に連結される連結杆によって接続されており、可動メインラックの動きを連結杆を介して可動サブラックに伝達するようにしたことを特徴とする回動昇降式ラック装置。
【請求項３】
請求項２に記載の回動昇降式ラック装置において、連結杆の可動サブラック側の接続端は、平行リンク機構の一部を構成する上方の回動アームにおける可動メインラック側の回動支点に対して接続されていることを特徴とする回動昇降式ラック装置。
【請求項４】
請求項１〜３のいずれかに記載の回動昇降式ラック装置において、可動サブラックと固定フレームとの間にはスライドレール機構が設けられており、スライドレール機構の案内作用によって可動サブラックは前後方向にスライドし得るように構成されていることを特徴とする回動昇降式ラック装置。
【発明の詳細な説明】
【技術分野】
【０００１】
本発明は、例えばキッチンのシステムストッカーの一部である吊戸棚等に適用される昇降式ラック装置に係り、特に可動ラックを手前に引き出しながら下降させ、奥部上方に向って退去させるようにした回動昇降式ラック装置に関するものである。
【背景技術】
【０００２】
近年、キッチンの収納性を向上させると共に、より美しく、インテリアの一部としてキッチンを使用できるようにしたシステムストッカーと呼ばれている収納システムが登場してきた。システムストッカーには引戸タイプのストッカー、炊飯器等の収納に好適な家電ストッカー、食器や食品の収納に好適な引出し式のストッカー、あるいは窓を生かしたレイアウトに最適なカウンターストッカー等が含まれる。また吊戸棚タイプのストッカーもあり、種類の異なるこれらのストッカーを適宜組み合わせることによって、それぞれの目的にあったキッチンが作られている。
【０００３】
このうち、吊戸棚タイプのストッカーには、吊戸棚に収納した収納物を取り出し易くするために、昇降機能を備えるものがある。また昇降機能を備える吊戸棚には高所に設置した格納ボックスに対して支持アームを介して可動ラックを昇降させる回動昇降式のラック装置を備えるものが存在する。
この場合、格納ボックスの奥行き寸法は、流し台やガステーブルの奥行き寸法等に合わせて、比較的大きめ（６５ｃｍ程度）に設定される場合が多い。これに対して可動ラックは、回動昇降式の昇降機構の構造との関係で、格納ボックスの前面側の収納ペースに配置される場合が多く、格納ボックスの背面側には、未使用の空間（デッドスペース）が存在していた。またこのような吊戸棚タイプのストッカーにおいても収納性の更なる向上が予ねてから求められていた。
【発明の開示】
【発明が解決しようとする課題】
【０００４】
本発明は、このような背景技術、そして吊戸棚タイプのストッカーに関する上記問題点の存在を踏まえてなされたものであって、従来使用されていなかった未使用の空間を収納スペースとして利用することによって空間の有効利用と収納性の向上とが図れる新規な回動昇降式ラック装置を提供することを課題とするものである。
【課題を解決するための手段】
【０００５】
上記課題を解決するために請求項１に記載の発明は、壁面等に固定される固定フレームと、固定フレームの前面側の収容スペースに位置し、固定フレームに対して平行リンク機構を介して昇降自在に取り付けられる可動メインラックと、可動メインラックに対して取り付けられる操作バーとを備える回動昇降式ラック装置において、固定フレームの背面側の収容スペースには、可動メインラックの動きと連動して進退自在に移動する可動サブラックが設けられていることを特徴とする回動昇降式ラック装置である。
【０００６】
請求項２に記載の発明は、請求項１に記載の回動昇降式ラック装置において、可動メインラックと可動サブラックは、回動自在に連結される連結杆によって接続されており、可動メインラックの動きを連結杆を介して可動サブラックに伝達するようにしたことを特徴とする回動昇降式ラック装置である。
【０００７】
請求項３に記載の発明は、請求項２に記載の回動昇降式ラック装置において、連結杆の可動サブラック側の接続端は、平行リンク機構の一部を構成する上方の回動アームにおける可動メインラック側の回動支点に対して接続されていることを特徴とする回動昇降式ラック装置である。
【０００８】
請求項４に記載の発明は、請求項１〜３のいずれかに記載の回動昇降式ラック装置において、可動サブラックと固定フレームとの間にはスライドレール機構が設けられており、スライドレール機構の案内作用によって可動サブラックは前後方向にスライドし得るように構成されていることを特徴とする回動昇降式ラック装置である。
【発明の効果】
【０００９】
本発明の回動昇降式ラック装置は、固定フレーム（格納ボックス）の背面側の未使用空間を収納スペースとして利用しているから、空間の有効利用と収納性の向上が図られる。また固定フレームの背面側の収容スペースに設けられる可動サブラックは、その前面側に位置する可動メインラックの動きと連動するように設けられているから、可動メインラックを手前に引き出せば、可動サブラックも前方に移動して収納物の出し入れが可能な状態になる。
【００１０】
一方、可動メインラックを上方に移動させて格納状態とすれば、可動サブラックも後方に移動して固定フレームの背面側の収容スペースに至るようになっていて操作性にも優れている。
また、連結杆とスライドレールを設けるだけの簡単な構成であり、特に駆動手段としてのモータやシリンダ等も使用していないことから、吊戸棚の軽量化や製品コストの削減にも寄与し得る。
【発明を実施するための最良の形態】
【００１１】
以下、本発明の回動昇降式ラック装置にかかる実施例１について説明する。
図１は実施例１に係る回動昇降式ラック装置を格納した状態を示す斜視図、図２は実施例１に係る回動昇降式ラック装置を引き出した状態を示す斜視図である。また、図３は実施例１に係る回動昇降式ラック装置を格納した状態を示す側断面図、図４は実施例１に係る回動昇降式ラック装置を引き出した状態を示す側断面図である。
【実施例１】
【００１２】
以下、実施例１に係る回動昇降式ラック装置１を説明する。
回動昇降式ラック装置１は、壁面Ｈ等に固定される固定フレーム３と、固定フレーム３の前面側の収容スペースに位置し、固定フレーム３に対して平行リンク機構５を介して昇降自在に取り付けられる可動メインラック７と、可動メインラック７に対して取り付けられる操作バー９とを備えている。
また可動メインラック７には操作バー９を所定の角度回動させることによって可動メインラック７のロック状態を解除するロック機構１１が設けられている。
固定フレーム３は前面が開放されたボックス状の部材であり、例えば流し台背面の比較的高所の壁面Ｈに対してビス止め等によって固定状態で設置される。固定フレーム３の前面には必要に応じて図示しない扉が開閉自在に設けられる。
【００１３】
平行リンク機構５は、固定フレーム３と可動メインラック７とを接続し、可動メインラック７の水平姿勢を維持した状態で可動メインラック７を手前側下方に引き出し、再び奥部側上方の固定フレーム３の前面側の収容スペース内に収容し得る機構である。
平行リンク機構５は、両端に回動支点Ｏ１、Ｏ２及びＯ３、Ｏ４を有し、回動支点Ｏ１、Ｏ２及びＯ３、Ｏ４間の距離を等しくとった２本の回動アーム１３、１５とこれらの回動アーム１３、１５と接続される固定フレーム３の側板及び可動ラック７の側板とによって構成されている。また平行リンク機構５は、可動メインラック７の左右に一組ずつ設けられている。
上方の回動アーム１３における固定フレーム３側の回動支点Ｏ１の近傍にはダンパとしてのガスダンパ１７の摺動子側の端部が接続されており、固定フレーム３の側板にはガスダンパ１７の本体側の端部が回動自在に接続されている。
【００１４】
下方の回動アーム１５における可動メインラック７側の回動支点Ｏ４の近傍には、係合ピン１９が設けられている。係合ピン１９は比較的小径の円柱状の部材で、後述するロック機構１１におけるロック爪２１と係合することによってロック爪２１をロック状態とする。
また可動メインラック７には回動アーム１３、１５の回動動作に伴う係合ピン１９の可動メインラック７に対する相対位置の変化を受け入れる湾曲した長穴状のガイド穴２３が形成された後述するサブフレーム４１が取り付けられている。係合ピン１９はこのガイド穴２３と嵌合し、ガイド穴２３に沿って移動するように構成されている。
【００１５】
可動メインラック７は、前面及び上面が開放された角箱状の部材であり、中間より幾分上方の位置には棚板２５が設けられている。また可動メインラック７の前面には、金属製線材によって形成されるガード２７が取り付けられている。
また可動メインラック７の下端には、可動メインラック７の左右の側板によって回転自在に支持された操作バー９が設けられている。
操作バー９は円管状の部材であり、長手方向の途中には適宜の間隔を空けてグリップ部２９が２個設けられている。
【００１６】
操作バー９の一方の端部には、操作バー９の長手方向と直交する方向に延びる操作杆３１が設けられている。操作杆３１は丸棒状の部材でその先端は外方に向けて直角に折り曲げられており、後述するロック機構１１における連絡ロッド３３との当接部３５となっている。
また可動メインラック７の側板には操作杆３１を覆うように角度規制カバー３７が取り付けられている。角度規制カバー３７は操作杆３１ないし操作杆３１と一体の操作バー９の回動角度を規制するものであるが、操作杆３１の当接部３５に当接することによって回動する連絡ロッド３３の回動角度も間接的に規制する。
これによりロック爪２１は可動メインラック７の昇降動作によってロック状態とロック解除状態とを切り替えることができる通常可動範囲内で回動できる。
【００１７】
ロック機構１１は平行リンク機構５の回動動作を停止させるロック爪２１と、ロック爪２１を所定の方向に付勢する付勢手段としてのトーションバネ３９と、操作バー９の回転運動をロック爪２１に伝達する連絡ロッド３３とを備えている。
ロック爪２１は図示のようにフック状の部材であり、可動ラック７の側板に対して取り付けられる矩形状のサブフレーム４１に対して回動自在に設けられる。
【００１８】
即ち、サブフレーム４１には可動メインラック７の幅方向に延びる回動ピン４３が立ち上げられていて、この回動ピン４３を回動支点としてロック爪２１は所定の角度の範囲内で回動し得るようになっている。ロック爪２１の最大回動角度はサブフレーム４１から立ち上げられている翼板状の図示しないストッパによって設定されている。
またロック爪２１には係合ピン１９と係合する係合凹部４７が形成されており、係合凹部４７内に係合ピン１９が進入し係合した状態がロック状態、係合凹部４７外に係合ピン１９が位置している状態がロック解除状態となっている。
【００１９】
トーションバネ３９は一端がロック爪２１の中間付近に係止され、他端がそれより下方位置のサブフレーム４１に対して係止されている。またトーションバネ３９は、後述する非作動状態となる範囲を除く通常可動範囲において、ロック爪２１を図３、４において反時計周りの方向へ付勢する弾性力を発揮する。
サブフレーム４１には前述したように係合ピン１９を案内するガイド穴２３も形成されている。尚サブフレーム４１は可動メインラック７と一体の部材であるから、本明細書において特に両者を区別しない場合には可動メインラック７の概念に含めて使用するものとする。
【００２０】
連絡ロッド３３は、「く」の字状に屈曲した長杆状の部材で、その屈曲点に設けられる段付きネジ４９を回動支点として所定の角度回動する。連絡ロッド３３の操作バー９側に延びる作用端５１は、操作杆３１における当接部３５と当接することによって連絡ロッド３３をロック爪２１の通常可動範囲内で回動させると共に、直接作用端５１を持って連絡ロッド３３をロック爪２１の通常可動範囲を超える領域まで大きく回動させることによってロック機構１１を非作動状態にすることができる。この非作動状態において、トーションバネ３９はロック爪２１を図３、４において時計周りの方向へ付勢する弾性力を発揮する。
【００２１】
連絡ロッド３３のロック爪２１側に伸びる接続端５３には長穴５５が設けられており、この長穴５５と嵌合する連結ピン５７によって、ロック爪２１の自由端と連絡ロッド３３の接続端５３は接続されている。
長穴５５を設けるようにしたのは、回動支点と作用長を異にするロック爪２１と連絡ロッド３３がそれぞれ互いに干渉されることなく回動できるようにするためである。
また連絡ロッド３３は梃子として作用し、作用端５１を作用点、接続端５３を力点、段付きネジ４９が設けられている部位を支点と見ることができ、これによりロック爪２１の回動操作を容易にしている。
【００２２】
また固定フレーム３の背面側の収容スペースには、可動メインラック７の動きと連動して進退自在に移動する可動サブラック５９が設けられている。可動サブラック５９は、可動メインラック７と同様、前面及び上面が開放されており、中間より幾分上方の位置と下端には棚板６１が二枚設けられている。二枚の棚板６１は可動サブラック５９の四隅に直立状態で設けられている四本の角棒状のサイドフレーム６３によって水平に支持されている。
【００２３】
また背面側のサイドフレーム６３の中間より幾分下方の位置には回動支点Ｐ１が設けられている。回動支点Ｐ１には、直線状に延びる連結杆６５の一端が回動自在に接続されている。また連結杆６５の他端は上述した上方の回動アーム１３における可動メインラック７側の回動支点Ｏ２に同じく回動自在に接続されている。従って連結杆６５は可動メインラック７の移動、具体的には回動支点Ｏ２の移動を可動サブラック５９に伝達する駆動伝達手段としての役割を担っている。
なお、上記連結杆６５の他端の接続位置は、回動支点Ｏ２付近であってもよい。
【００２４】
また固定フレーム３の側板の上部と、可動サブラック５９におけるサイドフレーム６３の上部との間にはスライドレール機構６７が設けられている。スライドレール機構６７は固定フレーム３側に設けられる固定レール６９と、可動サブラック５９側に設けられる可動レール７１と、固定レール６９と可動レール７１との間に入れ子状に設けられる摺動子７３とを備える完全両スライドタイプの三段引のスライドレールによって構成されている。
そして可動サブラック５９はスライドレール機構６７による案内作用によって固定フレーム３の背面側の収容スペース内に位置する格納位置と、固定フレーム３の前面側に突出する使用位置との間を水平にスライドできるようになっている。
またこのようなスライドレール機構６７を設けることによって可動メインラック７の姿勢の安定性も向上する。
【００２５】
次にこのようにして構成される本発明の回動昇降式ラック装置１の作動態様について説明する。
（１）格納時（図１、３参照）
可動メインラック７が固定フレーム３内に格納された状態では、図３に示すように回動アーム１３、１５は上方に跳ね上げられたほぼ直立の姿勢になっている。
またこの状態では、ガスダンパ１７の摺動子７３は伸張状態になっていて、ロック爪２１は通常可動範囲内において前方寄りに待機している。
トーションバネ３９によって、ロック爪２１は反時計周りの方向へ付勢されている。またこの状態では下方の回動アーム１５の可動メインラック７側の回動支点Ｏ４の近傍に設けられている係合ピン１９は、円弧状のガイド穴２３の下端に位置している。
【００２６】
またこの時、連結杆６５は図３に示すように回動支点Ｏ２が上方に位置していることに伴って右上がりに傾斜した姿勢になっている。従って可動サブラック５９は連結杆６５の下端によって回動支点Ｐ１を介して最も背面側に押し込まれた状態になっている。そしてこの状態では固定フレーム３内の収容スペースには可動メインラック７と可動サブラック５９の双方が収容された状態になっており、従来使用されていなかった固定フレーム３の背面側の未使用空間が収納物Ａの収納スペースとして有効利用が図られているのである。
【００２７】
（２）引出し時（図２、４参照）
固定フレーム３内から可動メインラック７を引き出す場合には、操作バー９に設けられたグリップ部２９を握って手前下方に向って力をかけて引き出す。可動メインラック７が引き出されて行くと、上方の回動アーム１３は回動支点Ｏ１を回動中心として、下方の回動アーム１５は回動支点Ｏ３を回動中心として回動するようになって、最終的に図２、４に示すようにほぼ水平な姿勢に移行する。
【００２８】
またこの時、連結杆６５は図４に示すように回動支点Ｏ２が下方に移動することに伴って右下がりに傾斜した姿勢になっている。従って可動サブラック５９は連結杆６５の前方への回動に伴って、回動支点Ｐ１を介して最も前面側に引き出された状態になっている。そしてこの状態では固定フレーム３の前面側に可動サブラック５９が位置し、固定フレーム３の前面下方に可動メインラック７が位置しているから、これらに収納されている収納物Ａの取り出しが可能になっている。
【００２９】
以上、本発明の実施例について詳述してきたが、具体的な構成はこれらの形態に限られるものではなく、本発明の要旨を逸脱しない範囲における設計の変更などがあっても本発明に含まれる。
例えば、可動サブラック５９は棚枠状とする他、可動メインラック７のように角箱状とすることが可能である。
【００３０】
また本発明の回動昇降式ラック装置１は単独で使用する他、キッチンの吊戸棚に組み込んで使用したり、キッチン以外の部屋において食器や鍋等の台所用品以外の他の種々の収納物Ａの出し入れを目的にして使用することも可能である。
【図面の簡単な説明】
【００３１】
【図１】実施例１に係る回動昇降式ラック装置を格納した状態を示す斜視図である。
【図２】実施例１に係る回動昇降式ラック装置を引き出した状態を示す斜視図である。
【図３】実施例１に係る回動昇降式ラック装置を格納した状態を示す側断面図である。
【図４】実施例１に係る回動昇降式ラック装置を引き出した状態を示す側断面図である。
【符号の説明】
【００３２】
１    回動昇降式ラック装置          ３    固定フレーム
５    平行リンク機構                ７    可動メインラック
９    操作バー                    １１    ロック機構
１３    回動アーム（上方の）        １５    回動アーム（下方の）
１７    ガスダンパ                  １９    係合ピン
２１    ロック爪                    ２３    ガイド穴
２５    棚板                        ２７    ガード
２９    グリップ部                  ３１    操作杆
３３    連絡ロッド                  ３５    当接部
３７    角度規制カバー              ３９    トーションバネ
４１    サブフレーム                ４３    回動ピン
４７    係合凹部                    ４９    段付きネジ
５１    作用端                      ５３    接続端
５５    長穴                        ５７    連結ピン
６１    棚板                        ６３    サイドフレーム
６５    連結杆                      ６７    スライドレール機構
６９    固定レール                  ７１    可動レール
７３    摺動子
Ｈ    壁面                        Ｏ１    回動支点
Ｏ２    回動支点                    Ｏ３    回動支点
Ｏ４    回動支点                      Ａ    収納物
Ｐ１    回動支点
【図１】
2005296365.tif 000003
【図２】
2005296365.tif 000004
【図３】
2005296365.tif 000005
【図４】
2005296365.tif 000006